(57)【要約】      （修正有） 【課題】保管時に広いスペースを必要とせず、組み立てが容易であると共に、耐久性に優れ、組み立て及び折り畳みを繰り返して使用することができるリターナブルな簡易ベッドを提供する。【解決手段】簡易ベッドは、簡易ベッド体１０を２個有する。簡易ベッド体１０の折り畳み時には、天板の天面１Ａ、１Ｂが長手方向の中間位置で折り曲げられると共に、基台２ａ、２ｂ、２ｃ、２ｄ、２ｅ、２ｆ、２ｇ、２ｈの対向する一方の２つの角部の角度（内角）が、略９０度の状態から０度に近づくように変形し、対向する他方の２つの角部の角度（内角）が、略９０度の状態から１８０度に近づくように変形して折り畳まれる。【選択図】図６
0003232263.tif 000002
【実用新案登録請求の範囲】
【請求項１】
長方形状の側面を備えた複数の帯片と、
４側面が形成された四角筒形状の基台が複数個と、
折り曲げ可能な天面と、該天面の両端部が折り曲げられてなる側面とを備えた天板と、を有する折り畳み可能な簡易ベッド体において、
前記複数の帯片は、側面が対向するようにして、等間隔で平行に配置され、
隣り合う前記帯片の間に前記基台が配置されると共に、前記帯片の側面に前記基台の対向する側面が固定され、
複数の前記帯片の中の外側に位置する両帯片の側面に、前記天板の側面が各々固定されており、前記天板の天面の裏側に前記基台の一方の開口端縁が当接するものであり、前記基台の他方の開口端縁は、設置される床面に当接するものであって、
折り畳み時には、前記天板の天面が折り曲げられると共に、前記基台の対向する一方の２つの角部の角度が０度に近づくように変形し、対向する他方の２つの角部の角度が１８０度に近づくように変形して折り畳まれることを特徴とする折り畳み可能な簡易ベッド体。
【請求項２】
帯片の長手方向の端面と、基台の前記帯片に固定されていない２側面の中の１側面は、略同一平面上に位置していることを特徴とする請求項１に記載の折り畳み可能な簡易ベッド体。
【請求項３】
天板の天面は、長手方向の中間位置が折り曲げ可能であることを特徴とする請求項１又は２に記載の折り畳み可能な簡易ベッド体。
【請求項４】
帯片と、基台と、天板は、段ボール板で形成されていることを特徴とする請求項１〜３のいずれか１項に記載の折り畳み可能な簡易ベッド体。
【請求項５】
請求項１〜４のいずれか１項に記載の簡易ベッド体を少なくとも２個有していると共に、隣り合う前記簡易ベッド体の天板の側面同士を当接させてなることを特徴とする折り畳み可能な簡易ベッド。
【請求項６】
１個の簡易ベッド体は、使用者の頭部が位置する箇所に、平面視コ字状の遮蔽板が固定されていることを特徴とする請求項５に記載の折り畳み可能な簡易ベッド。
【請求項７】
長方形状に形成された長天板を、複数の簡易ベッド体の天板の天面を覆うように載置したことを特徴とする請求項５又は６に記載の折り畳み可能な簡易ベッド。
【考案の詳細な説明】
【技術分野】
【０００１】
本考案は、災害時に避難所等で使用する簡易ベッド及び簡易ベッドを構成する簡易ベッド体に関するものである。
【背景技術】
【０００２】
従来から、使用する前は分解した複数のパーツで保管され、使用時には組み立てて使用する簡易ベッドが知られている（特許文献１）。
【０００３】
特許文献１に記載の簡易ベッドは、中空構造をなすための立体加工が施されたコア材の表裏両面に平板状の外装材を積層してなる合成樹脂製の中空板材からなり、中空板材から切り出されて矩形状に切り揃えられた複数の横枠構成片と縦枠構成片とを、それぞれに形成されたスリットを咬み合わせて格子状に配置することによって組み立てられた基台の上に、中空板材を切り出してなる天板を載置しているものであった。
【先行技術文献】
【特許文献】
【０００４】
【特許文献１】特開２０１２−２３５８１９号公報
【考案の概要】
【考案が解決しようとする課題】
【０００５】
特許文献１に記載の簡易ベッドは、基台が格子状に形成されているので、耐久性においては優れているものの、組み立て時には横枠構成片と縦枠構成片に形成されている多数のスリットを咬み合わせる作業に時間を要するものであった。また、不使用時の保管は、通常、分解したパーツを箱等に収容して保管されるものであるが、縦枠構成片や天板が長尺であることから、広いスペースを必要とするものであり、再利用を前提としている簡易ベッドではなかった。
【０００６】
本考案は、前記従来の課題を解決するものであり、保管時に広いスペースを必要とせず、組み立てが容易であると共に、耐久性に優れ、一回使用した後、廃棄するのではなく、組み立て及び折り畳みを繰り返して使用することができるリターナブルな簡易ベッドを提供することを目的とする。
【課題を解決するための手段】
【０００７】
前記従来の課題を解決するために、請求項１の簡易ベッド体の考案は、長方形状の側面を備えた複数の帯片と、４側面が形成された四角筒形状の基台が複数個と、折り曲げ可能な天面と、該天面の両端部が折り曲げられてなる側面とを備えた天板と、を有する折り畳み可能な簡易ベッド体において、前記複数の帯片は、側面が対向するようにして、等間隔で平行に配置され、隣り合う前記帯片の間に前記基台が配置されると共に、前記帯片の側面に前記基台の対向する側面が固定され、複数の前記帯片の中の外側に位置する両帯片の側面に、前記天板の側面が各々固定されており、前記天板の天面の裏側に前記基台の一方の開口端縁が当接するものであり、前記基台の他方の開口端縁は、設置される床面に当接するものであって、折り畳み時には、前記天板の天面が折り曲げられると共に、前記基台の対向する一方の２つの角部の角度が０度に近づくように変形し、対向する他方の２つの角部の角度が１８０度に近づくように変形して折り畳まれることを特徴としている。
【０００８】
請求項１の考案では、複数個の四角筒形状の基台が変形して折り畳まれることによって、四角筒形状の中空部の空間が無くなるので、コンパクトに折り畳むことができ、広いスペースが無くても保管することができる。また、組み立て時には、折り曲げられている天板の天面を広げる方向に押すだけで、複数個の基台が四角筒形状になるので、容易に組み立てることができる。また、基台の一方の開口端縁が天板の天面の裏側に当接することとなるので、使用者の荷重が加わった場合でも容易に変形することはなく、優れた耐久性を備えた簡易ベッド体とすることができる。また、一回使用した後、廃棄するのではなく、組み立て及び折り畳みを繰り返してリターナブルに使用することができるので、コストパフォーマンスに優れている。
【０００９】
請求項２の簡易ベッド体の考案は、請求項１の考案において、帯片の長手方向の端面と、基台の前記帯片に固定されていない２側面の中の１側面は、略同一平面上に位置していることを特徴としている。したがって、帯片の長手方向の端面が基台の側面から突出していないので、簡易ベッド体を平面視した場合に、長方形状とすることができ、見栄えを良くすることができる。
【００１０】
請求項３の簡易ベッド体の考案は、請求項１又は２の考案において、天板の天面は、長手方向の中間位置が折り曲げ可能であることを特徴としている。したがって、一層コンパクトに折り畳むことができる。
【００１１】
請求項４の簡易ベッド体の考案は、請求項１〜３のいずれかの考案において、帯片と、基台と、天板は、段ボール板で形成されていることを特徴としている。したがって、加工が容易で安価に製造することができると共に、耐久性を備えつつ、軽量であり、不要になった場合の処分も容易に行うことができる。
【００１２】
請求項５の簡易ベッドの考案は、請求項１〜４のいずれかの簡易ベッド体を少なくとも２個有していると共に、隣り合う前記簡易ベッド体の天板の側面同士を当接させてなることを特徴としている。したがって、簡易ベッド体を２個組み立てることにより、容易に簡易ベッドを組み立てることができると共に、コンパクトに折り畳むことができるので、広いスペースが無くても保管することができる。
【００１３】
請求項６の簡易ベッドの考案は、請求項５の考案において、１個の簡易ベッド体は、使用者の頭部が位置する箇所に、平面視コ字状の遮蔽板が固定されていることを特徴としている。したがって、使用者の睡眠時に、上部以外の方向から使用者の顔に光が当たるのを防ぐことができる。
【００１４】
請求項７の簡易ベッドの考案は、請求項５又は６の考案において、長方形状に形成された長天板を、複数の簡易ベッド体の天板の天面を覆うように載置したことを特徴としている。したがって、使用者の体の一部が、隣り合う簡易ベッド体の側面の当接している部分に当たって隙間ができるのを防ぐことができる。
【考案の効果】
【００１５】
請求項１の簡易ベッド体の考案は、コンパクトに折り畳むことができ、広いスペースが無くても保管することができる。また、容易に組み立てることができる。また、請求項２の考案は、見栄えを良くすることができる。また、請求項３の考案は、一層コンパクトに折り畳むことができる。さらに、請求項４の考案は、加工が容易で安価に製造することができると共に、耐久性を備えつつ、軽量であり、不要になった場合の処分も容易に行うことができる。
【００１６】
請求項５の簡易ベッドの考案は、容易に簡易ベッドを組み立てることができると共に、コンパクトに折り畳むことができるので、広いスペースが無くても保管することができる。また、請求項６の考案は、使用者の睡眠時に、上部以外の方向から使用者の顔に光が当たるのを防ぐことができる。さらに、請求項７の考案は、使用者の体の一部が、隣り合う簡易ベッド体の側面の当接している部分に当たって隙間ができるのを防ぐことができる。
【図面の簡単な説明】
【００１７】
【図１】本考案に係る簡易ベッドの斜視図
【図２】本考案に係る簡易ベッドの平面図
【図３】本考案に係る簡易ベッドの正面図
【図４】本考案に係る簡易ベッドの底面図
【図５】図４の一部拡大図
【図６】本考案に係る簡易ベッド体を折り畳む途中の状態を示す底面図
【図７】本考案に係る簡易ベッド体を折り畳む途中の状態を示す斜視図
【図８】本考案に係る簡易ベッド体を折り畳んだ状態を示す斜視図
【図９】本考案に係る簡易ベッドの他の実施形態を示す斜視図
【図１０】本考案に係る簡易ベッドの他の実施形態を示す斜視図
【考案を実施するための形態】
【００１８】
以下、本考案の実施形態について、図面を参照しながら説明する。なお、この実施の形態によって本考案が限定されるものではない。図１は、本考案に係る簡易ベッドの斜視図であり、図２は、平面図である。また、図３は、本考案に係る簡易ベッドの正面図であり、図４は、底面図、図５は、図４の一部拡大図である。また、図６は、本考案に係る簡易ベッド体を折り畳む途中の状態を示す底面図であり、図７は、同斜視図である。また、図８は、本考案に係る簡易ベッド体を折り畳んだ状態を示す斜視図である。これらの図を用いて本考案に係る簡易ベッドの詳細について以下に説明する。
【００１９】
本考案に係る簡易ベッド２０は、簡易ベッド体１０を２個有していると共に、隣り合う簡易ベッド体１０、１０の天板の側面１Ｃ、１Ｄ同士を当接させて形成されている。尚、簡易ベッド体１０の個数は、２個以上であればよく、本考案に含まれる。また、簡易ベッド２０の基台の側面２ａ、２ｂ、２ｃ、２ｄ側に当接させるように簡易ベッド体１０をさらに２個配置すれば、大型の簡易ベッドを形成することができ、これも本考案に含まれる。
【００２０】
簡易ベッド体１０は、長方形状の側面を備えた５個の帯片３ａ、３ｂ、３ｃ、３ｄ、３ｅと、４側面が形成された四角筒形状の８個の基台２ａ、２ｂ、２ｃ、２ｄ、２ｅ、２ｆ、２ｇ、２ｈと、長手方向の中間位置１ａで折り曲げ可能な天面１Ａ、１Ｂと、天面の両端部１ｂ、１ｃが略９０度に折り曲げられてなる側面１Ｄ、１Ｃを備えた天板と、を有している。
【００２１】
帯片３ａ、３ｂ、３ｃ、３ｄ、３ｅは、側面が対向するようにして、等間隔で平行に配置されている。また、隣り合う帯片３ａ、３ｂの間に基台２ａが配置されると共に、帯片３ａ、３ｂの側面に基台２ａの対向する側面が固定されている。
【００２２】
そして、複数の帯片３ａ、３ｂ、３ｃ、３ｄ、３ｅの中の外側に位置する両帯片３ａ、３ｅの側面に、天板の側面１Ｄ、１Ｃが各々、接着剤で固定されており、天板の天面１Ａ、１Ｂの裏側に基台２ａ、２ｂ、２ｃ、２ｄ、２ｅ、２ｆ、２ｇ、２ｈの一方の開口端縁が当接するものであり、基台の他方の開口端縁は、設置される床面に当接するものである。
【００２３】
基台２ａ、２ｂ、２ｃ、２ｄ、２ｅ、２ｆ、２ｇ、２ｈは、略同寸法の長方形状の段ボール板を使用しており、長方形状の段ボール板を四角筒形状に折り曲げて形成されている。また、帯片３ａ、３ｂ、３ｃ、３ｄ、３ｅは、略同寸法の長方形状の段ボール板を使用している。そして、基台の幅方向の長さと、帯片の幅方向の長さは同じであり、帯片の側面に接する基台の側面全体が接着剤で貼り付けられて固定されている。尚、基台２ａ、２ｂ、２ｃ、２ｅ、２ｆ、２ｇの符号１２は、長方形状の段ボール板を四角筒形状に折り曲げた両端部を示しており、端部同士を当接させてもよいが、端部同士を当接させないで隙間を有する状態で、帯片に当接する面を接着剤で固定してもよく、これも本考案に含まれる。
【００２４】
また、基台２ａ、２ｂ、２ｃ、２ｄ、２ｅ、２ｆ、２ｇ、２ｈと、帯片３ａ、３ｂ、３ｃ、３ｄ、３ｅの床面に当接する側の端面は、略同一平面となるように形成されており、基台２ａ、２ｂ、２ｃ、２ｄ、２ｅ、２ｆ、２ｇ、２ｈと、帯片３ａ、３ｂ、３ｃ、３ｄ、３ｅの床面とは反対側の端面も略同一平面となるように形成されている。
【００２５】
また、天面１Ａ、１Ｂと、側面１Ｄ、１Ｃとで形成されている天板は、長方形状の段ボール板を使用しており、側面１Ｄ、１Ｃは、帯片３ａ、３ｂ、３ｃ、３ｄ、３ｅと略同寸法の長方形状に形成されている。そして、天板の側面１Ｄ、１Ｃが各々、帯片３ａ、３ｅの外側の側面全体に、接着剤で固定されている。
【００２６】
また、帯片３ａ、３ｂ、３ｃ、３ｄ、３ｅの長手方向の端面と、基台２ａ、２ｂ、２ｃ、２ｄ、２ｅ、２ｆ、２ｇ、２ｈの帯片に固定されていない２側面の中の１側面は、略同一平面上に位置するようにしている。これにより、帯片の長手方向の端面が基台の側面から突出していないので、簡易ベッド体１０を平面視した場合に、長方形状とすることができ、見栄えを良くすることができる。尚、図５に示すように、天板と基台には、波状に形成されている１枚の中芯と２枚のライナーを用いて形成される単層段ボールを使用した例を示しているが、２枚以上の中芯と、３枚以上のライナーを用いて形成される多層段ボールを使用することも可能であり、その場合には、さらに耐久性を高めることができる。また、天板と基台の各々の折り曲げ箇所にあらかじめ浅い切れ目（リード罫）を形成して折り曲げ易くしておけば、組み立て時及び折り畳み時の作業を一層容易に行うことができる。また、組み立て及び折り畳みを繰り返して使用することができるので、コストパフォーマンスに優れたリターナブルな簡易ベッド体及び簡易ベッドとすることができる。
【００２７】
そして、図６〜図８に示すように、簡易ベッド体１０の折り畳み時には、天板の天面１Ａ、１Ｂが長手方向の中間位置１ａで折り曲げられると共に、基台２ａ、２ｂ、２ｃ、２ｄ、２ｅ、２ｆ、２ｇ、２ｈの対向する一方の２つの角部の角度（内角）が、略９０度の状態から０度に近づくように変形し、対向する他方の２つの角部の角度（内角）が、略９０度の状態から１８０度に近づくように変形して折り畳まれることとなる。
【００２８】
また、簡易ベッド体１０の折り畳み時に帯片３ａ、３ｂ、３ｃ、３ｄ、３ｅは、図６に示すように、簡易ベッド体１０を底面側から視た場合には、簡易ベッド体１０の長手方向の略中間部に位置する帯片３ｃと、天板の側面１Ｄ、１Ｃに各々固定されている帯片３ａと帯片３ｅは、図面上、上下方向の位置は変わらず、帯片３ａと帯片３ｅが帯片３ｃに近づくように移動する。また、帯片３ｂと帯片３ｄは、図面上、上方向に移動すると共に、帯片３ｃに近づくように移動する。
【００２９】
上述のように、四角筒形状の基台２ａ、２ｂ、２ｃ、２ｄ、２ｅ、２ｆ、２ｇ、２ｈが変形して折り畳まれることによって、四角筒形状の中空部の空間が無くなるので、コンパクトに折り畳むことができ、簡易ベッド２０は、広いスペースが無くても保管することができる。また、組み立て時には、折り曲げられている天板の天面１Ａ、１Ｂを広げる方向に、長手方向の中間位置１ａを押すだけで、基台２ａ、２ｂ、２ｃ、２ｄ、２ｅ、２ｆ、２ｇ、２ｈが四角筒形状になるので、容易に組み立てることができる。また、使用時には、基台２ａ、２ｂ、２ｃ、２ｄ、２ｅ、２ｆ、２ｇ、２ｈの一方の開口端縁が天板の天面１Ａ、１Ｂの裏側に当接することとなるので、使用者の荷重が加わった場合でも容易に変形することはなく、優れた耐久性を備えた簡易ベッド体及び簡易ベッドとすることができる。
【００３０】
図９及び図１０は、本考案に係る簡易ベッドの他の実施形態を示す斜視図である。これらの図に示す簡易ベッド３０は、天板４Ａと、天板４Ａの両端部が略９０度に折り曲げられてなる側板４Ｂ、４Ｃを備えたと平面視コ字状の遮蔽板が固定されている。遮蔽板は長方形状の段ボール板を折り曲げてなるものであり、簡易ベッド３０の側面２箇所に固定されている面ファスナー５Ｂと、遮蔽板の側板４Ｂ、４Ｃの対応する位置に固定されている面ファスナー５Ａとが結合することによって着脱自在に固定されている。これにより、使用者の睡眠時に、上部以外の方向から使用者の顔に光が当たるのを防ぐことができる。
【００３１】
また、図１０に示すように、簡易ベッド３０は、長方形状に形成された長天板６が、複数の簡易ベッド体の天板の天面を覆うように載置されている。これにより、使用者の体の一部が、隣り合う簡易ベッド体の側面の当接している部分に当たって隙間ができるのを防ぐことができる。
【産業上の利用可能性】
【００３２】
本考案に係る簡易ベッド体及び簡易ベッドは、主に災害時に避難所等で組み立てられて使用される簡易なベッドとして利用される。
【符号の説明】
【００３３】
１ａ  長手方向の中間位置
１ｂ、１ｃ  天面の端部
１Ａ、１Ｂ  天板の天面
１Ｃ、１Ｄ  天板の側面
２ａ、２ｂ、２ｃ、２ｄ、２ｅ、２ｆ、２ｇ、２ｈ  基台
３ａ、３ｂ、３ｃ、３ｄ、３ｅ  帯片
４Ａ  遮蔽板の天板
４Ｂ、４Ｃ  遮蔽板の側板
１０  簡易ベッド体
１２  基台の両端部
２０、３０  簡易ベッド
【図１】
0003232263.tif 000003
【図２】
0003232263.tif 000004
【図３】
0003232263.tif 000005
【図４】
0003232263.tif 000006
【図５】
0003232263.tif 000007
【図６】
0003232263.tif 000008
【図７】
0003232263.tif 000009
【図８】
0003232263.tif 000010
【図９】
0003232263.tif 000011
【図１０】
0003232263.tif 000012